(57)【要約】【課題】別の通信端末装置への情報の送信を、この別の通信端末装置の状況と、この情報の内容に応じて適切に制御できるようにする。【解決手段】携帯電話機（通信端末装置）１は、腕時計（別の通信端末装置）２に対して情報（音声着信、メール、ニュース）を送信する場合に、各種情報を全て一律に送信するのではなく、腕時計２の状況（移動状況、所在地、時間帯、動作モード、装着／非装着）を判別すると共に、腕時計２に送信する情報の内容（種別、緊急度、送信元）を判別し、この状況の判別結果と内容の判別結果に基づいて、腕時計２への情報の送信を制御する（送信する／しない、報知させる／させない）。【選択図】  図１
2010245668.tif 000002
【特許請求の範囲】
【請求項１】
情報通信を行う通信機能を備えた通信端末装置であって、
別の通信端末装置の状況を判別する状況判別手段と、
前記別の通信端末装置に対して送信する情報の内容を判別する情報判別手段と、
前記別の通信端末装置に情報を送信する場合に、前記状況判別手段による判別結果と前記情報判別手段による判別結果とに基づいて、前記別の通信端末装置への情報の送信を制御する送信制御手段と、
を具備したことを特徴とする通信端末装置。
【請求項２】
前記情報判別手段は、前記情報の内容として、その情報の種別を判別し、
前記送信制御手段は、前記状況判別手段によって判別された別の通信端末装置の状況に基づいて、所定種別の情報の送信を制御する、
ようにしたことを特徴とする請求項１記載の通信端末装置。
【請求項３】
前記情報判別手段は、前記情報の内容として、その情報の緊急度を判別し、
前記送信制御手段は、前記状況判別手段によって判別された別の通信端末装置の状況に基づいて、所定緊急度の情報の送信を制御する、
ようにしたことを特徴とする請求項１記載の通信端末装置。
【請求項４】
前記情報判別手段は、受信した情報を前記別の通信端末装置に送信する場合に、この受信した情報の内容として、その情報の送信元を判別し、
前記送信制御手段は、前記状況判別手段によって判別された別の通信端末装置の状況に基づいて、所定送信元からの情報の送信を制御する、
ようにしたことを特徴とする請求項１記載の通信端末装置。
【請求項５】
前記状況判別手段は、前記別の通信端末装置の状況として、この別の通信端末装置の移動状況を判別する、
ようにしたことを特徴とする請求項１記載の通信端末装置。
【請求項６】
前記状況判別手段は、前記別の通信端末装置の状況として、この別の通信端末装置の現在位置、現在時刻のうち、少なくともそのいずれかを判別する、
ようにしたことを特徴とする請求項１記載の通信端末装置。
【請求項７】
前記状況判別手段は、前記別の通信端末装置の状況として、この別の通信端末装置が用途別に備える複数の動作モードのうち、どの動作モードに設定されているかを判別する、
ようにしたことを特徴とする請求項１記載の通信端末装置。
【請求項８】
前記状況判別手段は、前記別の通信端末装置の状況として、この別の通信端末装置と人体との近接状況を判別する、
ようにしたことを特徴とする請求項１記載の通信端末装置。
【請求項９】
前記状況判別手段は、前記別の通信端末装置から送信される状況情報を受信し、その状況情報に基づいて、この別の通信端末装置の状況を判別する、
ようにしたことを特徴とする請求項１記載の通信端末装置。
【請求項１０】
前記状況判別手段は、前記別の通信端末装置が所定の範囲内に存在する場合に、この別の通信端末装置の状況情報を検出し、その状況情報に基づいて、この別の通信端末装置の状況を判別する、
ようにしたことを特徴とする請求項１記載の通信端末装置。
【請求項１１】
前記送信制御手段は、情報の送信の制御として、前記別の通信端末装置へ情報を送信するか否かを制御する、
ようにしたことを特徴とする請求項１記載の通信端末装置。
【請求項１２】
前記送信制御手段は、情報の送信の制御として、この情報を受信する前記別の通信端末装置側での報知を制御する、
ようにしたことを特徴とする請求項１記載の通信端末装置。
【請求項１３】
前記情報判別手段は、受信した情報を前記別の通信端末装置に送信する場合に、この受信した情報の内容を判別する、
ようにしたことを特徴とする請求項１記載の通信端末装置。
【請求項１４】
情報通信を行う通信機能を備えた通信端末装置であって、
別の通信端末装置の状況を判別する状況判別手段と、
前記別の通信端末装置に情報を送信する場合に、この情報を受信する前記別の通信端末装置側での報知を前記状況判別手段による判別結果に基づいて制御する報知制御手段と、
を具備したことを特徴とする通信端末装置。
【請求項１５】
情報通信を行う通信機能を備えた通信端末装置であって、
別の通信端末装置の移動状況を判別する移動判別手段と、
前記別の通信端末装置に情報を送信する場合に、前記別の通信端末装置への情報の送信を前記状況判別手段による判別結果に基づいて制御する送信制御手段と、
を具備したことを特徴とする通信端末装置。
【請求項１６】
情報通信を行う通信機能を備えた通信端末装置で実行されるプログラムであって、
別の通信端末装置に情報を送信する場合に、この別の通信端末装置の状況を判別する機能と、
前記別の通信端末装置に対して送信する情報の内容を判別する機能と、
前記別の通信端末装置に情報を送信する場合に、前記状況の判別結果と前記内容の判別結果とに基づいて、前記別の通信端末装置への情報の送信を制御する機能と、
をコンピュータで実行させることを特徴とするプログラム。
【請求項１７】
情報通信を行う通信機能を備えた通信端末装置で実行されるプログラムであって、
別の通信端末装置の状況を判別する機能と、
前記別の通信端末装置に情報を送信する場合に、この情報を受信する前記別の通信端末装置側での報知を前記判別結果に基づいて制御する機能と、
をコンピュータで実行させることを特徴とするプログラム。
【請求項１８】
情報通信を行う通信機能を備えた通信端末装置で実行されるプログラムであって、
別の通信端末装置の移動状況を判別する機能と、
前記別の通信端末装置に情報を送信する場合に、前記別の通信端末装置への情報の送信を前記判別結果に基づいて制御する機能と、
をコンピュータで実行させることを特徴とするプログラム。
【発明の詳細な説明】
【技術分野】
【０００１】
本発明は、情報通信を行う通信機能を備えた通信端末装置及びプログラムに関する。
【背景技術】
【０００２】
従来、携帯電話機などの通信端末装置が有している情報を別の通信端末装置に送信する技術が知られている。例えば、携帯電話機で受信したメールやニュース、音声通話の着信があったことを示す着信情報などの各種情報を、ユーザが装着している腕時計（別の通信端末装置）に送信するようにした技術が開発されている（特許文献１参照）。
【先行技術文献】
【特許文献】
【０００３】
【特許文献１】特開２００２−１５２３２７号公報
【発明の概要】
【発明が解決しようとする課題】
【０００４】
しかしながら、携帯電話機側で受信したメール、ニュース、着信情報などの各種情報を全て一律に別の通信端末装置に対して送信してしまうことは、適切ではない場合がある。例えば、ユーザが装着している腕時計（別の通信端末装置）に送信する場合、ユーザの走行時には、歩行時や停止時に比べて、腕時計の情報を確認することが困難となるために、ユーザにとって特に有益な情報のみを送信することが望ましい。一方、ユーザが腕時計を装着していない場合に、第三者に見られたくない情報を送信してしまうことは望ましくはないが、ユーザが装着したときにすぐに情報を確認できるように、第三者に見られたくない情報以外の情報（緊急度の高い情報など）を送信することは望ましい。
【０００５】
本発明の課題は、別の通信端末装置への情報の送信を、この別の通信端末装置の状況と、この情報の内容に応じて適切に制御できるようにすることである。
【課題を解決するための手段】
【０００６】
上述した課題を解決するために請求項１記載の発明は、情報通信を行う通信機能を備えた通信端末装置であって、別の通信端末装置の状況を判別する状況判別手段と、前記別の通信端末装置に対して送信する情報の内容を判別する情報判別手段と、前記別の通信端末装置に情報を送信する場合に、前記状況判別手段による判別結果と前記情報判別手段による判別結果とに基づいて、前記別の通信端末装置への情報の送信を制御する送信制御手段と、を具備したことを特徴とする。
【０００７】
請求項１に従属する発明として、前記情報判別手段は、前記情報の内容として、その情報の種別を判別し、前記送信制御手段は、前記状況判別手段によって判別された別の通信端末装置の状況に基づいて、所定種別の情報の送信を制御する、ようにしたことを特徴とする請求項２記載の発明であってもよい。
【０００８】
請求項１に従属する発明として、前記情報判別手段は、前記情報の内容として、その情報の緊急度を判別し、前記送信制御手段は、前記状況判別手段によって判別された別の通信端末装置の状況に基づいて、所定緊急度の情報の送信を制御する、ようにしたことを特徴とする請求項３記載の発明であってもよい。
【０００９】
請求項１に従属する発明として、前記情報判別手段は、受信した情報を前記別の通信端末装置に送信する場合に、この受信した情報の内容として、その情報の送信元を判別し、前記送信制御手段は、前記状況判別手段によって判別された別の通信端末装置の状況に基づいて、所定送信元からの情報の送信を制御する、ようにしたことを特徴とする請求項４記載の発明であってもよい。
【００１０】
請求項１に従属する発明として、前記状況判別手段は、前記別の通信端末装置の状況として、この別の通信端末装置の移動状況を判別する、ようにしたことを特徴とする請求項５記載の発明であってもよい。
【００１１】
請求項１に従属する発明として、前記状況判別手段は、前記別の通信端末装置の状況として、この別の通信端末装置の現在位置、現在時刻のうち、少なくともそのいずれかを判別する、ようにしたことを特徴とする請求項６記載の発明であってもよい。
【００１２】
請求項１に従属する発明として、前記状況判別手段は、前記別の通信端末装置の状況として、この別の通信端末装置が用途別に備える複数の動作モードのうち、どの動作モードに設定されているかを判別する、ようにしたことを特徴とする請求項７記載の発明であってもよい。
【００１３】
請求項１に従属する発明として、前記状況判別手段は、前記別の通信端末装置の状況として、この別の通信端末装置と人体との近接状況を判別する、ようにしたことを特徴とする請求項８記載の発明であってもよい。
【００１４】
請求項１に従属する発明として、前記状況判別手段は、前記別の通信端末装置から送信される状況情報を受信し、その状況情報に基づいて、この別の通信端末装置の状況を判別する、ようにしたことを特徴とする請求項９記載の発明であってもよい。
【００１５】
請求項１に従属する発明として、前記状況判別手段は、前記別の通信端末装置が所定の範囲内に存在する場合に、この別の通信端末装置の状況情報を検出し、その状況情報に基づいて、この別の通信端末装置の状況を判別する、ようにしたことを特徴とする請求項１０記載の発明であってもよい。
【００１６】
請求項１に従属する発明として、前記送信制御手段は、情報の送信の制御として、前記別の通信端末装置へ情報を送信するか否かを制御する、ようにしたことを特徴とする請求項１１記載の発明であってもよい。
【００１７】
請求項１に従属する発明として、前記送信制御手段は、情報の送信の制御として、この情報を受信する前記別の通信端末装置側での報知を制御する、ようにしたことを特徴とする請求項１２記載の発明であってもよい。
【００１８】
請求項１に従属する発明として、前記情報判別手段は、受信した情報を前記別の通信端末装置に送信する場合に、この受信した情報の内容を判別する、ようにしたことを特徴とする請求項１３記載の発明であってもよい。
【００１９】
また、上述した課題を解決するために請求項１４記載の発明は、情報通信を行う通信機能を備えた通信端末装置であって、別の通信端末装置の状況を判別する状況判別手段と、前記別の通信端末装置に情報を送信する場合に、この情報を受信する前記別の通信端末装置側での報知を前記状況判別手段による判別結果に基づいて制御する報知制御手段と、を具備したことを特徴とする。
【００２０】
また、上述した課題を解決するために請求項１５記載の発明は、情報通信を行う通信機能を備えた通信端末装置であって、別の通信端末装置の移動状況を判別する移動判別手段と、前記別の通信端末装置に情報を送信する場合に、前記別の通信端末装置への情報の送信を前記状況判別手段による判別結果に基づいて制御する送信制御手段と、を具備したことを特徴とする。
【００２１】
また、上述した課題を解決するために請求項１６記載の発明は、情報通信を行う通信機能を備えた通信端末装置で実行されるプログラムであって、別の通信端末装置に情報を送信する場合に、この別の通信端末装置の状況を判別する機能と、前記別の通信端末装置に対して送信する情報の内容を判別する機能と、前記別の通信端末装置に情報を送信する場合に、前記状況の判別結果と前記内容の判別結果とに基づいて、前記別の通信端末装置への情報の送信を制御する機能と、をコンピュータで実行させることを特徴とする。
【００２２】
また、上述した課題を解決するために請求項１７記載の発明は、情報通信を行う通信機能を備えた通信端末装置で実行されるプログラムであって、別の通信端末装置の状況を判別する機能と、前記別の通信端末装置に情報を送信する場合に、この情報を受信する前記別の通信端末装置側での報知を前記判別結果に基づいて制御する機能と、をコンピュータで実行させることを特徴とする。
【００２３】
また、上述した課題を解決するために請求項１８記載の発明は、情報通信を行う通信機能を備えた通信端末装置で実行されるプログラムであって、別の通信端末装置の移動状況を判別する機能と、前記別の通信端末装置に情報を送信する場合に、前記別の通信端末装置への情報の送信を前記判別結果に基づいて制御する機能と、をコンピュータで実行させることを特徴とする。
【発明の効果】
【００２４】
本発明によれば、別の通信端末装置に情報を送信する場合に、この別の通信端末装置の状況と、この情報の内容に応じてその送信を制御することができ、実情に即した適切な制御が可能となる。
【図面の簡単な説明】
【００２５】
【図１】通信端末装置として適用した携帯電話機が利用可能な通信ネットワークシステムを示したブロック図。
【図２】携帯電話機１の基本的な構成要素を示したブロック図。
【図３】腕時計２の基本的な構成要素を示したブロック図。
【図４】携帯電話機１側の情報テーブル記憶部Ｍ１−３を説明するための図。
【図５】携帯電話機１側の状況テーブル記憶部Ｍ１−４、腕時計２側の状況テーブル記憶部Ｍ２−３を説明するための図。
【図６】携帯電話機１側の制御テーブル記憶部Ｍ１−５、腕時計２側の制御テーブル記憶部Ｍ２−４を説明するための図。
【図７】携帯電話機１側の判別方法記憶部Ｍ１−６を説明するための図。
【図８】設定情報記憶部Ｍ１−７を説明するための図で、腕時計２の移動状況に応じて特定種別の情報を送信するという設定内容を示した図。
【図９】設定情報記憶部Ｍ１−７を説明するための図で、腕時計２側の動作モードに応じた他の設定内容を示した図。
【図１０】腕時計２側の動作モード記憶部Ｍ２−５を説明するための図。
【図１１】携帯電話機１側の着信履歴記憶部Ｍ１−８を説明するための図。
【図１２】携帯電話機１側のメール記憶部Ｍ１−９を説明するための図。
【図１３】携帯電話機１側のニュース記憶部Ｍ１−１０を説明するための図。
【図１４】携帯電話機１側のアドレス帳記憶部Ｍ１−１１を説明するための図。
【図１５】携帯電話機１の全体動作の概要を示したフローチャート。
【図１６】情報受信（音声着信、メール受信、ニュース受信）に応じて実行開始される情報受信処理Ａ（図１５のステップＡ６）を詳述するためのフローチャート。
【図１７】情報内容判別処理（図１６のステップＢ５）を詳述するためのフローチャート。
【図１８】状況判別処理Ａ（図１６のステップＢ６）を詳述するためのフローチャート。
【図１９】図１８の動作に続くフローチャート。
【図２０】実行処理（図１６ステップＢ７）を詳述するためのフローチャート。
【図２１】腕時計２の全体動作の概要を示したフローチャート。
【図２２】状況情報送信処理（図２１のステップＦ５）を詳述するためのフローチャート。
【図２３】情報受信処理Ｂ（図２１のステップＦ７）を詳述するためのフローチャート。
【図２４】状況判別処理Ｂ（図２１のステップＦ９）を詳述するためのフローチャート。
【図２５】図２４の動作に続くフローチャート。
【発明を実施するための形態】
【００２６】
以下、図１〜図２５を参照して本発明の実施形態を説明する。
本実施形態は、通信端末装置として携帯電話機に適用した場合を例示したもので、図１は、この携帯電話機が利用可能な通信ネットワークシステムを示したブロック図である。
携帯電話機１は、例えば、２つの筐体（操作部筐体、表示部筐体）が開閉可能に取り付けられた折り畳み自在なもので、この折り畳みタイプの携帯電話機１には音声通話機能、電子メール機能、インターネット接続機能（Ｗｅｂアクセス機能）、近距離通信機能などが備えられている。この近距離通信機能は、別の通信端末装置（この実施形態では通信機能付き腕時計）２との間で近距離通信を行うものであるが、携帯電話機１と腕時計２との間での通信は、近距離通信に限らず、例えば、ホームネットワーク、会社ネットワークなどの無線ＬＡＮ（図示省略）などを介して行うようにしてもよい。
【００２７】
携帯電話機１は、最寄りの基地局３Ａ、交換機３Ｂから無線通信網（移動体通信網）３に接続されると、この無線通信網３を介して他の携帯電話機（図示省略）との間で通話可能な状態となる。また、携帯電話機１は、無線通信網３を介してインターネット４に接続されると、メール管理装置５を介して電子メールの送受信が可能となったり、Ｗｅｂサイトをアクセスして閲覧可能となったり、また、ニュース配信装置６から配信されるニュースをインターネット４、無線通信網３を介してダウンロード可能となったりする。また、携帯電話機１や腕時計２は、ＧＰＳ（Global Positioning System）衛星７からのＧＰＳ情報（位置情報）を受信して現在位置を取得するようにしている。
【００２８】
ここで、本実施形態において携帯電話機（通信端末装置）１は、後で詳述するが、腕時計２に情報（音声着信、メール、ニュース）を送信する場合に、この腕時計２の状況（移動状況、所在地、時間帯、動作モード、装着／非装着）を判別すると共に、腕時計２に送信する情報の内容（種別、緊急度、送信元）を判別し、この状況の判別結果と内容の判別結果に基づいて、腕時計２への情報の送信を制御する（送信する／しない、報知させる／させない）ようにしている。この場合、腕時計２に情報を送信する／しない、あるいは、情報を受信したことを腕時計２側で報知させる／させない、ようにしている。例えば、移動状況の場合、走行中であれば、会社関係などの重要なメールや緊急なメールを腕時計２側に送信したり、停止中であれば、特に制限せずに全てのメールを送信したり、山本○○さんから情報を受信したことを腕時計２側で報知させたりする、など、腕時計２の状況と情報の内容によってその情報の送信を制御するようにしている。このことは所在地、時間帯、動作モード、装着／非装着の場合であっても同様で、腕時計２の状況と情報の内容によってその情報の送信を制御するようにしている。
【００２９】
図２は、携帯電話機１の基本的な構成要素を示したブロック図である。
中央制御部１０１は、二次電池（図示省略）を備えた電池部１０２からの電力供給によって動作し、記憶部１０３内の各種のプログラムに応じてこの携帯電話機１の全体動作を制御する中央演算処理装置やメモリ（図示省略）などを有している。記憶部１０３には、プログラム記憶部Ｍ１−１、各種情報一時記憶部Ｍ１−２、情報テーブル記憶部Ｍ１−３、状況テーブル記憶部Ｍ１−４、制御テーブル記憶部Ｍ１−５、判別方法記憶部Ｍ１−６、設定情報記憶部Ｍ１−７、着信履歴記憶部Ｍ１−８、メール記憶部Ｍ１−９、ニュース記憶部Ｍ１−１０、アドレス帳記憶部Ｍ１−１１などが設けられている。なお、記憶部１０３は、例えば、ＳＤカード、ＩＣカードなど、着脱自在な可搬型メモリ（記録メディア）を含む構成であってもよく、図示しない所定の外部サーバ上にあってもよい。
【００３０】
プログラム記憶部Ｍ１−１は、図１５〜図２０に示した動作手順に応じて本実施形態を実現するためのプログラムや各種のアプリケーションなどが格納されているほか、それに必要とする情報などが記憶されている。各種情報一時記憶部Ｍ１−２は、フラグ情報、タイマ情報、画面情報など、携帯電話機１が動作するために必要な各種の情報を一時的に記憶するワーク領域である。なお、情報テーブル記憶部Ｍ１−３、状況テーブル記憶部Ｍ１−４、制御テーブル記憶部Ｍ１−５、判別方法記憶部Ｍ１−６、設定情報記憶部Ｍ１−７、着信履歴記憶部Ｍ１−８、メール記憶部Ｍ１−９、ニュース記憶部Ｍ１−１０、アドレス帳記憶部Ｍ１−１１については後で詳述するものとする。
【００３１】
無線通信部１０４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１０５を介して通話用スピーカＳＰから音声出力させ、また、通話用マイクＭＣからの入力音声データを音声信号処理部１０５から取り込み、送信ベースバンド信号に符号化したのち、ベースバンド部の送信側に与えてアンテナＡＴ１から発信出力させる。
【００３２】
近距離通信部１０６は、アンテナＡＴ２を有し、通常、一緒に携帯している複数の通信端末装置である携帯電話機１と腕時計２との間において非接触タイプのBluetooth（登録商標）による近距離通信を行うもので、その通信可能エリア内（例えば、半径５ｍ以内）で交信が行われる。なお、携帯電話機１と腕時計２との間での交信時には互いの装置識別情報を送受信して通信相手を特定するようにしている。ＧＰＳ受信部１０７は、ＧＰＳ（Global Positioning System）衛星７からのＧＰＳ情報を、アンテナＡＴ３を介して受信するもので、中央制御部１０１は、このＧＰＳ情報に基づいて携帯電話機１の現在位置を腕時計２の状況（現在位置）として判別する。表示部１０８は、高精細液晶を使用し、例えば、文字情報、待受画像などの表示情報を表示する。
【００３３】
操作部１０９は、ダイヤル入力、文字入力、コマンド入力などを入力するもので、中央制御部１０１は、この操作部１０９からの入力操作信号に応じた処理を実行する。ＲＴＣ（リアルタイムクロックモジュール）１１０は、時計部を構成するもので、中央制御部１０１は、ＲＴＣ１１０から現在日時を取得する。報知部１１１は、サウンドスピーカ１１１Ａ、ＬＥＤ（発光ダイオード）１１１Ｂ、振動モータ１１１Ｃを備え、着信時に駆動されて着信報知を行うほか、アラーム報知時などでも駆動される。
【００３４】
移動状況検出部１１２は、図示しないが、例えば、携帯電話機１の移動に応じて加わる振動状態を検出する３軸タイプの加速度センサ（３軸方向振動センサ）を有し、この加速度センサによる振動状態に応じて携帯電話機１の移動状況（停止中、歩行中、走行中など）に関する情報（移動速度など）を検出するようにしている。なお、移動状況検出部１１２は、速度センサ、歩行センサによって携帯電話機１の移動状況（停止中、歩行中、走行中など）に関する情報（移動速度など）を検出するようにしてもよい。
【００３５】
また、移動状況検出部１１２は、受信電波によって電磁誘導される起電力によって動作して非接触通信を行う非接触ＩＣカード部（図示省略）を有し、改札機の通過時の非接触通信や電車内での非接触通信によって電車などの乗り物に乗って移動中であることを携帯電話機１の移動状況として検出するようにしている。なお、移動状況検出部１１２は、上述した加速度センサ、速度センサ、歩行センサ、非接触ＩＣカードに限らず、移動状況を検出可能な任意の構成であってもよい。このようにして移動状況検出部１１２によって検出された携帯電話機１の移動状況は、腕時計２の移動状況となる。すなわち、携帯電話機１と腕時計２とをユーザが一緒に携帯している状態において、携帯電話機１側で検出したその移動状況は、そのまま腕時計２の移動状況と同義であるとしている。
【００３６】
図３は、腕時計２の基本的な構成要素を示したブロック図である。
この腕時計２は、近距離通信機能を有する構成で、基本的には、上述した携帯電話機１と同様の構成となっている。すなわち、中央制御部２０１は、太陽電池などを備えた電池部２０２からの電力供給によって動作し、記憶部２０３内の各種のプログラムに応じてこの腕時計２の全体動作を制御する中央演算処理装置やメモリ（図示省略）などを有している。記憶部２０３には、プログラム記憶部Ｍ２−１、各種情報一時記憶部Ｍ２−２、状況テーブル記憶部Ｍ２−３、制御テーブル記憶部Ｍ２−４、動作モード記憶部Ｍ２−５などが設けられている。
【００３７】
プログラム記憶部Ｍ２−１は、図２１〜図２５に示した動作手順に応じて本実施形態を実現するためのプログラムや各種のアプリケーションなどが格納されているほか、それに必要とする情報などが記憶されている。各種情報一時記憶部Ｍ２−２は、フラグ情報、タイマ情報、画面情報など、腕時計２が動作するために必要な各種の情報を一時的に記憶するワーク領域である。なお、動作モード記憶部Ｍ２−５については後で詳述するものとする。なお、記憶部２０３は、例えば、ＳＤカード、ＩＣカードなど、着脱自在な可搬型メモリ（記録メディア）を含む構成であってもよい。
【００３８】
近距離通信部２０４は、アンテナＡＴ４を有し、通常、一緒に携帯している複数の通信端末装置である携帯電話機１と腕時計２との間において非接触タイプのBluetooth（登録商標）による近距離通信を行うもので、その通信可能エリア内（例えば、半径５ｍ以内）で交信が行われる。ＧＰＳ受信部２０５は、アンテナＡＴ５を介してＧＰＳ衛星７からのＧＰＳ情報を受信するもので、中央制御部２０１は、このＧＰＳ情報に基づいて腕時計２の現在位置を判別する。表示部２０６は、高精細液晶を使用し、例えば、文字情報、画像情報などの表示情報を表示する。操作部２０７は、ダイヤル入力、文字入力、コマンド入力などを入力するもので、中央制御部２０１は、この操作部２０７からの入力操作信号に応じた処理を実行する。ＲＴＣ２０８は、時計部を構成するもので、中央制御部２０１は、ＲＴＣ２０８から現在日時を取得する。報知部２０９は、サウンドスピーカ２０９Ａ、ＬＥＤ２０９Ｂ、振動モータ２０９Ｃを備え、着信時に駆動されて着信報知を行うほか、アラーム報知時などでも駆動される。
【００３９】
移動状況検出部２１０は、図示しないが、例えば、腕時計２の移動に応じて加わる振動状態を検出する３軸タイプの加速度センサ（３軸方向振動センサ）を有し、この加速度センサによる振動状態によって腕時計２の移動状況（停止中、歩行中、走行中など）に関する情報（移動速度など）を検出する。なお、移動状況検出部１１２は、速度センサ、歩行センサによって携帯電話機１の移動状況（停止中、歩行中、走行中など）に関する情報（移動速度など）を検出するようにしてもよい。
【００４０】
また、移動状況検出部２１０は、受信電波によって電磁誘導される起電力によって動作して非接触通信を行う非接触ＩＣカード部（図示省略）を有し、改札機の通過時の非接触通信や電車内での非接触通信によって腕時計２の移動状況として電車などの乗り物に乗って移動中であることを検出するようにしている。なお、移動状況検出部２１０は、上述した加速度センサ、速度センサ、歩行センサ、非接触ＩＣカードに限らず、移動状況を検出可能な任意の構成であってもよい。近接状況検出部２１１は、例えば、温度センサ、接触センサ、脈拍センサ、機械的スイッチ、明度センサによって、ユーザと腕時計２との近接状況（腕時計２が腕に装着されている、服のポケットに入っているなど）に関する情報（温度、接触の有無、機械的スイッチのオン／オフ、明度など）を検出するようにしている。
【００４１】
図４は、携帯電話機１側の情報テーブル記憶部Ｍ１−３を説明するための図である。
情報テーブル記憶部Ｍ１−３は、腕時計２に送信する情報の内容（種別、緊急度、送信元）を記憶するテーブルで、制御部１０１は、情報テーブル記憶部Ｍ１−３を参照して、その情報の内容を判別するようにしている。情報テーブル記憶部Ｍ１−３の内容はユーザ操作によって任意に設定されたもので、「項目」、「情報ＩＤ」、「内容」の各フィールドを有している。「項目」として、“種別”、“緊急度”、“送信元”を有し、この“種別”に対応する「情報ＩＤ」には、その「内容」の“音声着信”、“メール”、“ニュース”、…に対応して“ａ１１”、“ａ１２”、“ａ１３”、…が記憶されている。なお、“種別”は、“音声着信”、“メール”、“ニュース”に限らず、“ニュースのジャンル”など情報の任意の種別であってもよい。
【００４２】
“緊急度”に対応する「情報ＩＤ」には、その「内容」の“Ａ”、“Ｂ”、“Ｃ”、…
に対応して“ａ２１”、“ａ２２”、“ａ２３”、…が記憶されている。なお、緊急度“Ａ”、“Ｂ”、“Ｃ”は、緊急情報、一般情報などを示すもので、例えば、緊急度の高い順に、Ａ＞Ｂ＞Ｃ＞の関係となっている。“送信元”に対応する「情報ＩＤ」には、その「内容」の“相原○○”、“山本○○”、“会社”、…
に対応して“ａ３１”、“ａ３２”、“ａ３３”、…が記憶されている。なお、“送信元”が“会社”の場合、アドレス帳のグループ、メールアドレスのドメインなどで送信元を判別するようにしてもよく、また、“送信元”は、ニュースの送信元など任意の送信元であってもよい。
【００４３】
図５は、携帯電話機１側の状況テーブル記憶部Ｍ１−４、腕時計２側の状況テーブル記憶部Ｍ２−３を説明するための図である。
状況テーブル記憶部Ｍ１−４、Ｍ２−３は、腕時計２の状況（移動状況、所在地、時間帯、動作モード、近接状況）を記憶するテーブルで、制御部１０１、２０１は、状況テーブル記憶部Ｍ１−４、Ｍ２−３を参照して、腕時計２の状況を判別するようにしている。状況テーブル記憶部Ｍ１−４、Ｍ２−３の内容はユーザ操作によって任意に設定されたもので、「項目」、「状況ＩＤ」、「内容」の各フィールドを有している。なお、携帯電話機１側の状況テーブル記憶部Ｍ１−４の内容と腕時計２側の状況テーブル記憶部Ｍ２−３の内容とは互いに整合し、その一方の内容が変更された際には、他方の内容も自動変更されるようにしている。この場合、携帯電話機１と腕時計２との間でその変更内容を送受信したり、変更すべきことを指示したりすることで両者の整合を図るようにしている。
【００４４】
「項目」として“移動状況”、“所在地”、“時間帯”、“動作モード”、“近接状況”を有し、この“移動状況”に対応する「状況ＩＤ」には、その「内容」の“停止中（時速０ｋｍ）”、“歩行中（時速０〜５ｋｍ）”、“走行中（時速５〜１０ｋｍ）”、“乗り物移動中”、…に対応して“ｂ１１”、“ｂ１２”、“ｂ１３”、“ｂ１４”…が記憶されている。“所在地”に対応する「状況ＩＤ」には、その「内容」の“自宅周辺（位置情報と範囲）”、“会社周辺（位置情報と範囲）”、…
に対応して“ｂ２１”、“ｂ２２”、…が記憶されている。
【００４５】
“時間帯”に対応する「状況ＩＤ」には、その「内容」の“６：００−１０：００”、“６：００−１９：００”、“１９：００−２４：００”、…
に対応して“ｂ３１”、“ｂ３２”、“ｂ３３”、…が記憶されている。なお、時間帯は、月、日、曜日などであってもよい。“動作モード”に対応する「状況ＩＤ」には、その「内容」の“ビジネスモード”、“プライベートモード”、“省電力モード”、…
に対応して“ｂ４１”、“ｂ４２”、“ｂ４３”、…が記憶されている。“近接状況”に対応する「状況ＩＤ」には、その「内容」の“腕に装着”、“服のポケットの中”、…
に対応して“ｂ５１”、“ｂ５２”、…が記憶されている。
【００４６】
図６は、携帯電話機１側の制御テーブル記憶部Ｍ１−５、腕時計２側の制御テーブル記憶部Ｍ２−４を説明するための図である。
制御テーブル記憶部Ｍ１−５、Ｍ２−４は、腕時計２への情報の送信を制御するためのテーブルで、制御部１０１、２０１は、制御テーブル記憶部Ｍ１−５、Ｍ２−４を参照して、腕時計２への情報の送信を制御する（送信する／しない、報知させる／させない）ようにしている。制御テーブル記憶部Ｍ１−５、Ｍ２−４の内容は、ユーザ操作によって任意に設定されたもので、「項目」、「制御ＩＤ」、「内容」の各フィールドを有している。なお、携帯電話機１側の制御テーブル記憶部Ｍ１−５の内容と腕時計２側の制御テーブル記憶部Ｍ２−４の内容とは互いに整合し、その一方の内容が変更された際には、他方の内容も自動変更されるようにしている。この場合、携帯電話機１と腕時計２との間でその変更内容を送受信したり、変更すべきことを指示したりすることで両者の整合を図るようにしている。
【００４７】
「項目」として“送信”、“報知”を有し、この“送信”に対応する「制御ＩＤ」には、その「内容」の“送信する”、“送信しない”、…に対応して“ｃ１１”、“ｃ１２”、…が記憶されている。“報知”に対応する「制御ＩＤ」には、その「内容」の“受信音鳴動する”、“所定の状況になったときに受信音鳴動する”、“受信音鳴動しない”、“表示する”、“所定の状況になったときに表示する”、“表示しない”…に対応して“ｃ２１”、“ｃ２２”、“ｃ２３”、“ｃ２４”、“ｃ２５”、“ｃ２６”、…が記憶されている。なお、「項目」が“報知”の場合には、腕時計２に送信する情報に「制御ＩＤ」を付加して送信するようにしているが、更に、「制御ＩＤ」が“ｃ２２”と“ｃ２５”の場合には、どのような状況になったときに受信音を鳴動するか、表示するかを示すために「状況ＩＤ」をも付加して送信するようにしている。また、報知の態様としては、音や表示に限らず、光、振動などであってもよく、更には受信時の表示ではなく、例えば、ユーザ操作されたときに表示を許可するか否かであってもよい。
【００４８】
図７は、携帯電話機１側の判別方法記憶部Ｍ１−６を説明するための図である。
判別方法記憶部Ｍ１−６は、腕時計２の状況（移動状況、所在地、時間帯、動作モード、近接状況）のうち、移動状況、所在地、時間帯をどこで判別するか、つまり、携帯電話機１側で判別するのか、腕時計２側で判別するのかを決定するためのテーブルで、制御部１０１は、判別方法記憶部Ｍ１−６を参照して、腕時計２の状況をどこで判別するかを決定するようにしている。判別方法記憶部Ｍ１−６の内容はユーザ操作によって任意に設定されたもので、「項目」、「設定フラグ」の各フィールドを有している。
【００４９】
「項目」として“携帯電話機”、“腕時計”を有し、この複数の通信端末装置のうち、どの通信端末装置で腕時計２の状況を判別するかは、対応する「設定フラグ」が“１”の通信端末装置で行うことを示している。なお、図示の例では、“携帯電話機”に対応する「設定フラグ」に“０”が記憶され、“腕時計”に対応する「設定フラグ」に“１”
が記憶されているため、腕時計２側でその判別を行うべきことを示している。なお、“携帯電話機”に対応する「設定フラグ」が“１”でも、携帯電話機１側で判別不能な場合には、腕時計２側でその判別を行うようにしている。また、腕時計２の状況を携帯電話機１側で判別する場合には、移動状況、所在地、時間帯のいずれかを対象に判別するようにしている。
【００５０】
図８は、設定情報記憶部Ｍ１−７を説明するための図である。
設定情報記憶部Ｍ１−７は、情報テーブル記憶部Ｍ１−３、状況テーブル記憶部Ｍ１−４、制御テーブル記憶部Ｍ１−５の任意の内容をユーザ操作によって対応付けて任意に設定した設定情報を記憶するもので、「状況」、「情報」、「制御」の各フィールドを有している。また、「状況」は更に「項目」、「状況ＩＤ」を有し、「情報」は更に「項目」、「情報ＩＤ」を有し、「制御」は「制御ＩＤ」を有している。ここで、図示の例の設定情報は、「腕時計２の移動状況に応じて特定種別の情報を送信する」という設定内容を示したもので、「状況」の「項目」として、“移動状況”が設定され、「状況」の「状況ＩＤ」として“ｂ１１”、“ｂ１２”、“ｂ１３”、“ｂ１４”が設定されている。
【００５１】
「情報」の「項目」として“種別”が設定され、「状況ＩＤ」の“ｂ１１（停止中）”あるいは“ｂ１４（乗り物移動中）”に対応する「情報ＩＤ」として“ａ１１（音声着信）＋ａ１２（メール）＋ａ１３（ニュース）”が設定され、「制御ＩＤ」として“ｃ１１（送信する）”が設定されている場合には、腕時計２の移動状況が停止中あるいは乗り物で移動中（例えば、乗車中）であることを条件に、いずれかの情報（音声着信、メール、ニュース）を送信することを示している。なお、図中、＋は、論理和を示しているが、これに限らず、論理積であってもよい（以下、同様）。
【００５２】
「状況ＩＤ」の“ｂ１２（歩行中）”に対応する「情報ＩＤ」として“ａ１１（音声着信）＋ａ１２（メール）”が設定され、「制御ＩＤ」として“ｃ１１（送信する）”が設定されている場合には、腕時計２の移動状況が歩行中であることを条件に、ニュースを除いた情報として音声着信、メールのいずれかを送信することを示している。「状況ＩＤ」の“ｂ１３（走行中）”に対応する「情報ＩＤ」として“ａ１１（音声着信）”が設定され、「制御ＩＤ」として“ｃ１１（送信する）”が設定されている場合には、腕時計２の移動状況が歩行中であることを条件に、メール、ニュースを除いた情報として音声着信を送信することを示している。
【００５３】
図９は、設定情報記憶部Ｍ１−７を説明するための図で、腕時計２側の動作モードに応じた他の設定内容を示した図である。図示の例の設定情報は、「腕時計２側が、ある動作モードのときには特定送信元から情報を受信したことを腕時計２側で報知させ、別の動作モードのときには、特定種別の情報を送信する」という設定内容を示したもので、「状況」の「項目」として、“動作モード”が設定され、「状況」の「状況ＩＤ」として“ｂ４１”、“ｂ４２”、“ｂ４３”が設定され、この“ｂ４１”、“ｂ４２”に対応する「情報」の「項目」として“送信元”が設定され、“ｂ４３”
に対応する「情報」の「項目」として“種別”が設定されている。
【００５４】
“ｂ４１（ビジネスモード）”、“送信元”に対応する「情報ＩＤ」として“ａ３１（相原○○）＋ａ３２（山本○○）”が設定され、この“ａ３１＋ａ３２”に対応する「制御ＩＤ」として“ｃ２３（受信音鳴動しない）＋ｃ２４（表示する）”が設定されている場合には、腕時計２の動作モードがビジネスモードであることを条件に、相原○○さん、山本○○さんから情報を受信したことを腕時計２側で受信音を鳴動させずに表示だけで報知させることを示している。同様に、“ｂ４１（ビジネスモード）”、“送信元”に対応する「情報ＩＤ」として“ａ３３（会社）”が設定され、この“ａ３３”に対応する「制御ＩＤ」として“ｃ２１（受信音鳴動する）＋ｃ２４（表示する）”が設定されている場合には、腕時計２の動作モードがビジネスモードであることを条件に、会社からの情報を受信したことを腕時計２側で報知させることを示している。この場合、腕時計２側では受信音鳴動による報知、あるいは表示による報知が行われる。
【００５５】
“ｂ４２（プライベートモード）”、“送信元”に対応する「情報ＩＤ」として“ａ３１（相原○○）＋ａ３２（山本○○）”が設定され、この“ａ３１＋ａ３２”に対応する「制御ＩＤ」として“ｃ２１（受信音鳴動する）＋ｃ２４（表示する）”が設定されている場合には、腕時計２の動作モードがプライベートモードであることを条件に、相原○○さん、山本○○さんから情報を受信したことを腕時計２側で報知させることを示している。同様に、“ｂ４２（プライベートモード）”、“送信元”に対応する「情報ＩＤ」として“ａ３３（会社）”が設定され、この“ａ３３”に対応する「制御ＩＤ」として“ｃ２３（受信音鳴動しない）＋ｃ２４（表示する）”が設定されている場合には、腕時計２の動作モードがプライベートモードであることを条件に、会社から情報を受信したことを腕時計２側で受信音を鳴動させずに表示だけで報知させることを示している。
【００５６】
また、“ｂ４３（省電力モード）”、“種別”に対応する「情報ＩＤ」として“ａ１１（音声着信）＋ａ１２（メール）”が設定され、この“ａ１１＋ａ１２”に対応する「制御ＩＤ」として“ｃ１１（送信する）”が設定されている場合には、省電力モードでは音声着信、メールに限って腕時計２側に送信することを示している。
なお、設定情報は、上述した図８、図９の例示に限らず、情報テーブル記憶部Ｍ１−３、状況テーブル記憶部Ｍ１−４、制御テーブル記憶部Ｍ１−５の任意の内容をユーザ操作によって任意に組み合わせて設定するようにしてもよい。
【００５７】
図１０は、腕時計２側の動作モード記憶部Ｍ２−５を説明するための図である。
動作モード記憶部Ｍ２−５は、現在有効な動作モードを記憶するもので、「項目」、「設定フラグ」の各フィールドを有している。動作モード記憶部Ｍ２−５の内容はユーザ操作によって任意に設定されたもので、「項目」として“ビジネスモード”、“プライベートモード”、“省電力モード”、…を有し、現在有効な動作モードは、どれであるかは対応する「設定フラグ」が“１”の動作モードであることを示している。なお、図示の例では、“プライベートモード”が現在有効な動作モードであることを示している。動作モードは用途別に設定されるもので、例えば、ビジネスモードは勤務時間中に利用するのが便利な動作モードで、時刻の報知音などが鳴動しないようになっていたりする。また、例えば、省電力モードは消費電力を抑制するための動作モードで、表示部の明るさや報知音の音量を抑制するようになっていたりする。
【００５８】
図１１は、携帯電話機１側の着信履歴記憶部Ｍ１−８を説明するための図である。
着信履歴記憶部Ｍ１−８は、音声着信に関する履歴情報を記憶するもので、「履歴ＩＤ」、「日時」、「相手情報」、「伝言メッセージ」、…を有し、「相手情報」は更に「名前」、「電話番号」、「グループ」、…を有している。なお、「グループ」は友人関係か会社関係などのように所属するグループを示している。なお、「名前」、「グループ」は、受信した電話番号やメールアドレスを元に、アドレス帳記憶部Ｍ１−１１から取得したデータである。
【００５９】
図１２は、携帯電話機１側のメール記憶部Ｍ１−９を説明するための図である。
メール記憶部Ｍ１−９は、着信メールに関する情報を記憶するもので、「メールＩＤ」、「日時」、「緊急度」、「相手情報」、「タイトル・本文」、…を有し、「緊急度」は、受信メールに付加されている情報で、メールの緊急度（Ａ、Ｂ、Ｃなど）を示している。「相手情報」は更に「名前」、「メールアドレス」、「グループ」、…を有している。なお、「名前」、「グループ」は、受信した電話番号やメールアドレスを元に、アドレス帳記憶部Ｍ１−１１から取得したデータである。
【００６０】
図１３は、携帯電話機１側のニュース記憶部Ｍ１−１０を説明するための図である。
ニュース記憶部Ｍ１−１０は、ニュース配信装置６からインターネット４、無線通信網３を介してダウンロード受信したニュース情報を記憶するもので、「ニュースＩＤ」、「日時」、「緊急度」、「ジャンル」、「タイトル・本文」、…の各フィールドを有している。
【００６１】
図１４は、携帯電話機１側のアドレス帳記憶部Ｍ１−１１を説明するための図である。
アドレス帳記憶部Ｍ１−１１は、通信相手毎にその相手に関する情報を記憶するもので、「アドレス帳ＩＤ」、「名前」、「電話番号」、「メールアドレス」、「グループ」、…の各フィールドを有している。
【００６２】
次に、この実施形態における携帯電話機１、腕時計２の動作概念を図１５〜図２１に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００６３】
図１５は、携帯電話機１の全体動作の概要を示したフローチャートである。
先ず、中央制御部１０１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。その後、操作待ちや受信待ちなどの待ち受け状態となる。ここで、任意の情報を設定する設定操作が行われた場合には（ステップＡ３でＹＥＳ）、その操作に対応する設定処理として、例えば、情報テーブル記憶部Ｍ１−３、状況テーブル記憶部Ｍ１−４、制御テーブル記憶部Ｍ１−５、判別方法記憶部Ｍ１−６、設定情報記憶部Ｍ１−７、アドレス帳記憶部Ｍ１−１１などに対する設定処理を行ったのち（ステップＡ４）、上述のステップＡ３に戻る。
【００６４】
また、待ち受け状態において情報の受信（音声着信、メール受信、ニュース受信）を検出すると（ステップＡ５でＹＥＳ）、後述する情報受信処理Ａの実行に移る（ステップＡ６）。また、電源オフ操作が行われると（ステップＡ７でＹＥＳ）、電源オフ処理を実行したのち（ステップＡ８）、このフローの終了となるが、その他の操作が行われたときには（ステップＡ９でＹＥＳ）、その操作に応じた処理として、例えば、発信操作に応じて発信処理、受信メール表示操作に応じてメール開封処理などを行ったのち（ステップＡ１０）、上述のステップＡ３に戻る。
【００６５】
図１６は、情報受信（音声着信、メール受信、ニュース受信）に応じて実行開始される情報受信処理Ａ（図１５のステップＡ６）を詳述するためのフローチャートである。
先ず、中央制御部１０１は、情報受信が音声着信であれば（ステップＢ１でＹＥＳ）、この音声着信に関する履歴情報を着信履歴記憶部Ｍ１−８に記憶させたのち（ステップＢ２）、報知部１１１を駆動して着信報知を行うと共に（ステップＢ３）、情報（伝言メッセージ）を受信したときには、この伝言メッセージを着信履歴記憶部Ｍ１−８に記憶させる（ステップＢ４）。そして、後述する情報内容判別処理（ステップＢ５）、状況判別処理Ａ（ステップＢ６）、実行処理（ステップＢ７）を順次実行したのち、図１５のステップＡ３に戻る。
【００６６】
情報受信がメール受信であれば（ステップＢ８でＹＥＳ）、メール受信に関する情報をメール記憶部Ｍ１−９に記憶させたのち（ステップＢ９）、報知部１１１を駆動してメール受信報知を行う（ステップＢ１０）。そして、後述する情報内容判別処理（ステップＢ５）、状況判別処理Ａ（ステップＢ６）、実行処理（ステップＢ７）を順次実行する。また、情報受信がニュース受信であれば（ステップＢ８でＮＯ）、受信したニュースに関する情報をニュース記憶部Ｍ１−１０に記憶させたのち（ステップＢ１１）、報知部１１１を駆動してニュース受信報知を行うと共に（ステップＢ１２）、受信したニュースを表示させる（ステップＢ１３）。そして、後述する情報内容判別処理（ステップＢ５）、状況判別処理Ａ（ステップＢ６）、実行処理（ステップＢ７）を順次実行する。
【００６７】
図１７は、情報内容判別処理（図１６のステップＢ５）を詳述するためのフローチャートである。この情報内容判別処理は、受信した情報の内容を判別すると共に、その情報の内容に応じた「情報ＩＤ」を情報テーブル記憶部Ｍ１−３から読み出して一時記憶させるための処理である。
先ず、中央制御部１０１は、設定情報記憶部Ｍ１−７から「情報」の「項目」を読み出し（ステップＣ１）、「情報」の「項目」は何か、つまり、“種別”であるか（ステップＣ２）、“緊急度”であるか“送信元”であるかを判別する（ステップＣ５）。いま、「情報」の「項目」が“種別”であれば（ステップＣ２でＹＥＳ）、受信した「情報」の種別として“音声着信”、“メール”、“ニュース”、…のいずれであるかを判別すると共に（ステップＣ３）、情報テーブル記憶部Ｍ１−３を参照し、判別した種別に対応する「情報ＩＤ」を読み出して一時記憶させたのち（ステップＣ４）、このフローチャートを終了する。
【００６８】
同様に、「情報」の「項目」が“緊急度”であれば（ステップＣ５でＹＥＳ）、受信した「情報」の緊急度として“Ａ”、“Ｂ”、“Ｃ”、…のいずれであるかを判別すると共に（ステップＣ６）、情報テーブル記憶部Ｍ１−３を参照して、判別した緊急度に対応する「情報ＩＤ」を読み出して一時記憶させたのち（ステップＣ７）、このフローチャートを終了する。なお、緊急度が無い情報（音声着信）の場合には、“緊急度無し”として一時記憶させる。また、「情報」の「項目」が“送信元”であれば（ステップＣ５でＮＯ）、受信した「情報」の送信元として“相原○○”、“山本○○”、“会社”、…のいずれであるかを判別すると共に（ステップＣ８）、情報テーブル記憶部Ｍ１−３を参照して、判別した送信元に対応する「情報ＩＤ」を読み出して一時記憶させたのち（ステップＣ９）、このフローチャートを終了する。
【００６９】
図１８及び図１９は、状況判別処理Ａ（図１６のステップＢ６）を詳述するためのフローチャートである。この状況判別処理Ａは、腕時計２の状況を判別し、その状況に応じた「状況ＩＤ」を状況テーブル記憶部Ｍ１−４から読み出して一時記憶させるための処理である。
先ず、中央制御部１０１は、設定情報記憶部Ｍ１−７から「状況」の「項目」を読み出し（図１８のステップＤ１）、「状況」の「項目」は、何か、つまり、“移動状況”であるか（ステップＤ２）、“所在地”であるか（ステップＤ１２）、“時間帯”であるか（図１９のステップＤ１８）、“動作モード”であるか“近接状況”
であるかを判別する（図１９のステップＤ２６）。
【００７０】
「状況」の「項目」が“移動状況”であれば（図１８のステップＤ２でＹＥＳ）、判別方法記憶部Ｍ１−６を参照し、「設定フラグ」が“１”の「項目（判別方法）」を読み出し（ステップＤ３）、判別方法は“携帯電話機”であるかを調べる（ステップＤ４）。いま、判別方法が“腕時計”であれば（ステップＤ４でＮＯ）、腕時計２の移動状況を腕時計２側で検出させるために、腕時計２に対してその移動状況情報の要求を送信する（ステップＤ６）。ここで、腕時計２側においては、後述するが、携帯電話機１からの要求に応答して、移動状況検出部２１２を駆動させ、これによって検出された移動状況情報を腕時計２の移動状況として携帯電話機１に送信するようにしている。いま、携帯電話機１において腕時計２側で検出された移動状況情報を受信すると（ステップＤ７）、状況テーブル記憶部Ｍ１−４を参照して、停止中、歩行中、走行中、乗り物移動中などの移動状況情報を判別すると共に（ステップＤ８）、判別した移動状況に対応する「状況ＩＤ」を読み出して一時記憶させたのち（ステップＤ９）、このフローチャートを終了する。
【００７１】
判別方法が“携帯電話機”であれば（ステップＤ４でＹＥＳ）、移動状況検出部１１２によって検出された移動状況情報を腕時計２の移動状況として取得する（ステップＤ５）。そして、状況テーブル記憶部Ｍ１−４を参照して、停止中、歩行中、走行中、乗り物移動中などの移動状況を判別すると共に（ステップＤ８）、判別した移動状況に対応する「状況ＩＤ」を読み出して一時記憶させたのち（ステップＤ９）、このフローチャートを終了する。また、「状況」の「項目」が、“所在地”であれば（ステップＤ１０でＹＥＳ）、判別方法記憶部Ｍ１−６を参照して、「設定フラグ」が“１”の「項目（判別方法）」を読み出す（ステップＤ１１）。
【００７２】
ここで、判別方法が“腕時計”であれば（ステップＤ１２でＮＯ）、腕時計２の状況を腕時計２側で判別させるために、腕時計２に対して位置情報の要求を送信したのち（ステップＤ１４）、それに応答して腕時計２側からその位置情報を受信すると（ステップＤ１５）、状況テーブル記憶部Ｍ１−４を参照して、自宅周辺、会社周辺などの所在地を判別すると共に（ステップＤ１６）、判別した所在地に対応する「状況ＩＤ」を読み出して一時記憶させたのち（ステップＤ１７）、このフローチャートを終了する。また、判別方法が“携帯電話機”であれば（ステップＤ１２でＹＥＳ）、ＧＰＳ受信部１０７によって現在の位置情報を検出する（ステップＤ１３）。そして、状況テーブル記憶部Ｍ１−４を参照して、自宅周辺、会社周辺などの所在地を判別すると共に（ステップＤ１６）、判別した所在地に対応する「状況ＩＤ」を読み出して一時記憶させたのち（ステップＤ１７）、このフローチャートを終了する。
【００７３】
「状況」の「項目」が、“時間帯”であれば（図１９のステップＤ１８でＹＥＳ）、判別方法記憶部Ｍ１−６を参照して、「設定フラグ」が“１”の「項目（判別方法）」を読み出し（ステップＤ１９）、判別方法が“腕時計”であれば（ステップＤ２０でＮＯ）、腕時計２の状況を腕時計２側で検出させるために、腕時計２に対して時刻情報の要求を送信する（ステップＤ２２）。この要求に応答して腕時計２側から送信されてきた時刻情報を受信すると（ステップＤ２３）、状況テーブル記憶部Ｍ１−４を参照して、現在の時刻情報がどの時間帯に入っているかを判別すると共に（ステップＤ２４）、判別した時間帯に対応する「状況ＩＤ」を読み出して一時記憶させたのち（ステップＤ２５）、このフローチャートを終了する。
【００７４】
判別方法が“携帯電話機”であれば（ステップＤ２０でＹＥＳ）、ＲＴＣ１１０によって検出された現在の時刻情報を取得する（ステップＤ２１）。そして、状況テーブル記憶部Ｍ１−４を参照して、現在の時刻情報がどの時間帯に入っているかを判別すると共に（ステップＤ２４）、判別した時間帯に対応する「状況ＩＤ」を読み出して一時記憶させたのち（ステップＤ２５）、このフローチャートを終了する。
【００７５】
また、「状況」の「項目」が“動作モード”であれば（ステップＤ２６でＹＥＳ）、腕時計２に対して動作モード情報の要求を送信したのち（ステップＤ２７）、それに応答して腕時計２側から送信されてきた動作モード情報を受信すると（ステップＤ２８）、状況テーブル記憶部Ｍ１−４を参照して、現在の動作モードを判別すると共に（ステップＤ２９）、判別した動作モードに対応する「状況ＩＤ」を読み出して一時記憶させたのち（ステップＤ３０）、このフローチャートを終了する。
【００７６】
また、「状況」の「項目」が“動作モード”でなければ、つまり、「状況」の「項目」が“近接状況”であれば（ステップＤ２６でＮＯ）、腕時計２に対して近接状況情報の要求を送信したのち（ステップＤ３１）、それに応答して腕時計２側から送信されてきた近接状況情報を受信すると（ステップＤ３２）、状況テーブル記憶部Ｍ１−４を参照して、現在の近接状況情報を判別すると共に（ステップＤ３３）、判別した近接状況情報に対応する「状況ＩＤ」を読み出して一時記憶させたのち（ステップＤ３４）、このフローチャートを終了する。
【００７７】
図２０は、実行処理（図１６ステップＢ７）を詳述するためのフローチャートである。
この実行処理は、情報内容判別処理（図１６のステップＢ５）の判別結果と状況判別処理Ａ（ステップＢ６）の判別結果に基づいて、腕時計２への情報の送信を制御する処理を実行するものである。
先ず、中央制御部１０１は、上述の情報内容判別処理で一時記憶させた「情報ＩＤ」と上述の状況判別処理Ａで一時記憶させた「状況ＩＤ」とを読み出し（ステップＥ１）、この「情報ＩＤ」と「状況ＩＤ」に基づいて設定情報記憶部Ｍ１−７から当該「情報ＩＤ」及び「状況ＩＤ」に対応する「制御」の「制御ＩＤ」を読み出す（ステップＥ２）。そして、この「制御ＩＤ」に対応する「内容」を制御テーブル記憶部Ｍ１−５から読み出し（ステップＥ３）、その「内容」が“送信する”であれば（ステップＥ４でＹＥＳ）、上述の受信した情報（音声着信、受信メール、受信ニュース）を読み出して（ステップＥ５）、腕時計２に対してその情報を送信したのち（ステップＥ６）、このフローチャートを終了する。
【００７８】
「制御ＩＤ」に対応する「内容」が“送信しない”であれば（ステップＥ７でＹＥＳ）、この時点で図２０のフローから抜けるが、「内容」が“送信する”、“送信しない”のいずれでもなければ（ステップＥ７でＮＯ）、その「内容」が“報知”の場合であるから、上述の受信した情報（音声着信、受信メール、受信ニュース）を読み出し（ステップＥ８）、この受信した情報に、報知に関する「制御ＩＤ」を付加して腕時計２に送信したのち（ステップＥ９）、このフローチャートを終了する。なお、「制御ＩＤ」が“ｃ２２（所定の状況になったとき受信音鳴動する）”と“ｃ２５（所定の状況になったとき表示する）”の場合には、どのような状況になったときに受信音を鳴動するのか、あるいは表示するのかを示すためにその「状況ＩＤ」を更に付加して送信するようにしている。
【００７９】
図２１は、腕時計２の全体動作の概要を示したフローチャートである。
先ず、中央制御部２０１は、電源を投入する電源オン操作が行われると（ステップＦ１でＹＥＳ）、電源供給を開始させて所定のメモリなどを初期化する電源オン処理を実行したのち、操作待ちや受信待ちなどの待ち受け状態となる。ここで、任意の情報を設定する設定操作が行われた場合には（ステップＦ２でＹＥＳ）、その操作に対応する設定処理として、例えば、動作モード記憶部Ｍ２−５などに対する設定処理を行ったのち（ステップＦ３）、上述のステップＦ２に戻る。また、携帯電話機１から状況情報の要求を受信したときには（ステップＦ４でＹＥＳ）、この要求に応答して状況情報送信処理を実行する（ステップＦ５）。
【００８０】
図２２は、状況情報送信処理（図２１のステップＦ５）を詳述するためのフローチャートである。
先ず、中央制御部２０１は、携帯電話機１からの状況情報の要求は、移動状況情報の要求であるか（ステップＧ１）、位置情報の要求であるか（ステップＧ４）、時刻情報の要求であるか（ステップＧ７）、動作モード情報の要求であるか近接状況情報の要求であるかを調べる（ステップＧ１０）。いま、移動状況情報の要求を受信したときには（ステップＧ４でＹＥＳ）、携帯電話機１側と同様に、移動状況検出部２１０によって検出された移動状況情報を腕時計２の移動状況として取得して（ステップＧ２）、この移動状況情報を要求元の携帯電話機１に送信したのち（ステップＧ３）、図２１のステップＦ２に戻る。また、位置情報の要求を受信したときには（ステップＧ４でＹＥＳ）、ＧＰＳ受信部２０５によって受信したＧＰＳ情報を現在の位置情報として検出して（ステップＧ５）、この位置情報を要求元の携帯電話機１に送信したのち（ステップＧ６）、図２１のステップＦ２に戻る。
【００８１】
時刻情報の要求を受信したときには（ステップＧ７でＹＥＳ）、ＲＴＣ２０８によって計時された時刻情報を検出して（ステップＧ８）、この時刻情報を要求元の携帯電話機１に送信したのち（ステップＧ９）、図２１のステップＦ２に戻る。また、動作モード情報の要求を受信したときには（ステップＧ１０でＹＥＳ）、動作モード記憶部Ｍ２−５を参照して、「設定フラグ」が“１”の動作モードを読み出し（ステップＧ１１）、この動作モード情報を要求元の携帯電話機１に送信したのち（ステップＧ１２）、図２１のステップＦ２に戻る。また、近接状況情報の要求を受信したときには（ステップＧ１０でＮＯ）、近接状況検出部２１１によって検出されたユーザと腕時計２との近接状況（腕時計２が腕に装着されている、服のポケットに入っているなど）に関する情報（温度、接触の有無、機械的スイッチのオン／オフ、明度など）を取得し（ステップＧ１３）、この近接状況情報を要求元の携帯電話機１に送信したのち（ステップＧ１４）、図２１のステップＦ２に戻る。
【００８２】
一方、図２１のフローにおいて、携帯電話機１から情報を受信したときには（ステップＦ６でＹＥＳ）、後述する情報受信処理Ｂを実行する（ステップＦ７）。
図２３は、情報受信処理Ｂ（図２１のステップＦ７）を詳述するためのフローチャートである。先ず、中央制御部２０１は、携帯電話機１からの情報を受信して記憶させる（ステップＨ１）。この場合、携帯電話機１から音声着信に関する情報（例えば、伝言メッセージ）を受信した場合には、必要に応じてその記憶内容をユーザ操作によって音声出力させ、メールやニュースに関する情報を受信した場合には、必要に応じてその記憶内容をユーザ操作によって表示出力させることができる。
【００８３】
そして、受信した情報に、報知に関する「制御ＩＤ」が付加されているかを調べる（ステップＨ２）。ここで、上述したように図２０の実行処理においては、腕時計２への情報の送信を制御する場合に、その制御が「報知」であれば、報知に関する「制御ＩＤ」を当該情報に付加して送信し、「送信」であれば、受信した情報に、報知に関する「制御ＩＤ」を付加しないで送信するようにしているため、「制御ＩＤ」が付加されていない場合には（ステップＨ２でＮＯ）、次のステップＨ５に移り、情報受信を報知するために報知部２０９内のスピーカ２０９Ａを駆動して受信音を鳴動させたのち、図２１のステップＦ２に戻る。
【００８４】
受信した情報に、報知に関する「制御ＩＤ」が付加されていれば（ステップＨ２でＹＥＳ）、「制御ＩＤ」に基づいて制御テーブル記憶部Ｍ２−４を参照し、「制御ＩＤ」に対応する「内容」を読み出し（ステップＨ３）、その「内容」は、“受信音鳴動する”であるか（ステップＨ４）、“所定の状況になったときに受信音鳴動する”であるか（ステップＨ６）、“受信音鳴動しない”であるか（ステップＨ９）、“表示する”であるか（ステップＨ１０）、“所定の状況になったときに表示する”であるか“表示しない”であるかを調べる（ステップＨ１２）。いま、“受信音鳴動する”であれば（ステップＨ４でＹＥＳ）、情報受信を報知するために報知部２０９内のスピーカ２０９Ａを駆動して受信音を鳴動させたのち（ステップＨ５）、図２１のステップＦ２に戻る。
【００８５】
「制御ＩＤ」の「内容」が“所定の状況になったときに受信音鳴動する”であれば（ステップＨ６でＹＥＳ）、受信した情報には報知に関する「制御ＩＤ」と共に「状況ＩＤ」が付加されているので、この「制御ＩＤ」と「状況ＩＤ」を一時記憶させる（ステップＨ７）。すなわち、上述したように図２０の実行処理においては、腕時計２への情報の送信を制御する場合に、報知に関する「制御ＩＤ」が“ｃ２２（所定の状況になったとき受信音鳴動する）”の場合には、どのような状況になったときに受信音を鳴動するのかを示すためにその状況ＩＤを更に付加して送信するようにしているため、この「制御ＩＤ」と「状況ＩＤ」を一時記憶させておく。そして、状況判別タイマの計測動作を開始させたのち（ステップＨ８）、図２１のステップＦ２に戻る。なお、この状況判別タイマは、定期的に腕時計２の状況を判別するためのタイマで、例えば、３秒計測タイマによって構成されている（以下、同様）。
【００８６】
「制御ＩＤ」の「内容」が“受信音鳴動しない”であれば（ステップＨ９でＹＥＳ）、この時点で図２１のステップＦ２に戻るが、「制御ＩＤ」の「内容」が“表示する”であれば（ステップＨ１０でＹＥＳ）、上述のステップＨ１で記憶した情報を読み出して表示させたのち（ステップＨ１１）、図２１のステップＦ２に戻る。「制御ＩＤ」の「内容」が“所定の状況になったときに表示する”であれば（ステップＨ１２でＹＥＳ）、受信した情報には報知に関する「制御ＩＤ」と共に「状況ＩＤ」が付加されているので、この「制御ＩＤ」と「状況ＩＤ」を一時記憶させる（ステップＨ１３）。
【００８７】
すなわち、上述したように図２０の実行処理においては、腕時計２への情報の送信を制御する場合に、報知に関する「制御ＩＤ」が“ｃ２５（所定の状況になったとき表示する）”の場合には、どのような状況になったときに表示するのかを示すためにその状況ＩＤを更に付加して送信するようにしているので、この「制御ＩＤ」と「状況ＩＤ」を一時記憶させておく。そして、上述の状況判別タイマの計測動作を開始させたのち（ステップＨ８）、図２１のステップＦ２に戻る。なお、「制御ＩＤ」の「内容」が“表示しない”であれば（ステップＨ１２でＮＯ）、この時点で図２１のステップＦ２に戻る。
【００８８】
一方、図２１のフローにおいて、上述した状況判別タイマがタイムアウトとなった場合（３秒経過した場合）には（ステップＦ８でＹＥＳ）、後述する状況判別処理Ｂを実行したのち（ステップＦ９）、上述のステップＦ２に移る。また、時刻が更新（例えば、１分経過）されると（ステップＦ１０）、時刻表示を更新する処理を行ったのち（ステップＦ１１）、上述のステップＦ２に移り、また、電源オフ操作が行われたときには（ステップＦ１２でＹＥＳ）、電源オフ処理を行って（ステップＦ１３）、このフローの終了となるが、その他の操作として、例えば、時刻設定操作、アラーム設定操作などが行われたときには（ステップＦ１４でＹＥＳ）、その操作に応じた処理として、時刻設定処理、アラーム設定処理などを行ったのち（ステップＦ１５）、上述のステップＦ２に戻る。
【００８９】
図２４及び図２５は、状況判別処理Ｂ（図２１のステップＦ９）を詳述するためのフローチャートである。
先ず、中央制御部２０１は、上述の情報受信処理Ｂで一時記憶した「状況ＩＤ」を読み出し（図２４のステップＩ１）、この「状況ＩＤ」に基づいて状況テーブル記憶部Ｍ２−３を参照して、「状況ＩＤ」に対応する「内容」を読み出す（ステップＩ２）。そして、この「状況ＩＤ」の「内容」は、“移動状況”であるか（ステップＩ３）、“所在地”であるか（ステップＩ１４）、“時間帯”
であるか（図２５のステップＩ１８）、“動作モード” であるか“近接状況”であるかを調べる（図２５のステップＩ２２）。
【００９０】
いま、「状況ＩＤ」の「内容」が“移動状況”に関する内容であれば（図２４のステップＩ３でＹＥＳ）、移動状況検出部１１２によって検出された移動状況情報を腕時計２の移動状況として取得する（ステップＩ４）。そして、状況テーブル記憶部Ｍ２−３を参照して、停止中、歩行中、走行中、乗り物移動中などの移動状況を判別すると共に（ステップＩ５）、この判別した移動状況は、上述のステップＩ１で読み出した一時記憶の「状況ＩＤ」が示す移動状況に一致するかを調べる（ステップＩ６）。
【００９１】
移動状況が一致していなければ（ステップＩ６でＮＯ）、所定の状況になっていないので、再度、上述の状況判別タイマの計測動作を開始させたのち（ステップＩ１３）、図２１のステップＦ２に戻るが、それらの移動状況が一致して、所定の状況になったときには（ステップＩ６でＹＥＳ）、報知処理に移る（ステップＩ７〜Ｉ１２）。すなわち、上述の情報受信処理Ｂで一時記憶した「制御ＩＤ」を読み出し（ステップＩ７）、この「制御ＩＤ」に基づいて制御テーブル記憶部Ｍ２−４を参照して、この「制御ＩＤ」に対応する「内容」を読み出す（ステップＩ８）。
【００９２】
そして、この「内容」が“所定の状況になったときに受信音鳴動する”であれば（ステップＩ９でＹＥＳ）、報知部２０９内のスピーカ２０９Ａを駆動して受信音を鳴動させるが（ステップＩ１０）、“所定の状況になったときに表示する”であれば（ステップＩ９でＮＯ）、上述した情報受信処理Ｂ（図２３のステップＨ１）で記憶した情報を読み出して表示させる（ステップＩ１１）。そして、一時記憶の「制御ＩＤ」及び「状況ＩＤ」を消去したのち（ステップＩ１２）、図２１のステップＦ２に戻る。
【００９３】
上述した一時記憶の「制御ＩＤ」の「内容」が“所在地”に関する内容であれば（ステップＩ１４でＹＥＳ）、ＧＰＳ受信部２０５によって受信したＧＰＳ情報を現在の位置情報として検出し（ステップＩ１５）、状況テーブル記憶部Ｍ２−３を参照して、自宅周辺、会社周辺などの所在地を判別し（ステップＩ１６）、この判別した所在地は、上述のステップＩ１で読み出した一時記憶の「状況ＩＤ」が示す所在地に一致するかを調べる（ステップＩ１７）。いま、所在地が一致していなければ（ステップＩ１７でＮＯ）、所定の状況になっていないので、再度、上述の状況判別タイマの計測動作を開始させたのち（ステップＩ１３）、図２１のステップＦ２に戻るが、所在地が一致して、所定の状況になったときには（ステップＩ１７でＹＥＳ）、上述の報知処理に移る（ステップＩ７〜Ｉ１２）。
【００９４】
上述した一時記憶の「制御ＩＤ」の「内容」が“時間帯”に関する内容であれば（ステップＩ１８でＹＥＳ）、ＲＴＣ２０８によって検出された現在の時刻情報を取得する（ステップＩ１９）。そして、状況テーブル記憶部Ｍ２−３を参照して時間帯を判別し（ステップＩ２０）、この判別した時間帯は、上述した図２４のステップＩ１で読み出した一時記憶の「状況ＩＤ」が示す時間帯に一致するかを調べ（ステップＩ２１）、時間帯が一致していなければ（ステップＩ２１でＮＯ）、所定の状況になっていないので、再度、上述の状況判別タイマの計測動作を開始させたのち（図２４のステップＩ１３）、図２１のステップＦ２に戻るが、時間帯が一致して、所定の状況になったときには（ステップＩ２１でＹＥＳ）、上述した図２４の報知処理に移る（ステップＩ７〜Ｉ１２）。
【００９５】
上述した一時記憶の「制御ＩＤ」の「内容」が“動作モード”に関する内容であれば（図２５のステップＩ２２でＹＥＳ）、動作モード記憶部Ｍ２−５を参照し、「設定フラグ」が“１”の動作モードを読み出して（ステップＩ２３）、この動作モードを判別し（ステップＩ２４）、この判別した動作モードは、上述した図２４のステップＩ１で読み出した一時記憶の「状況ＩＤ」が示す動作モードに一致するかを調べ（ステップＩ２５）、動作モードが一致していなければ（ステップＩ２５でＮＯ）、所定の状況になっていないので、再度、上述の状況判別タイマの計測動作を開始させたのち（図２４のステップＩ１３）、図２１のステップＦ２に戻るが、動作モードが一致して、所定の状況になったときには（ステップＩ２５でＹＥＳ）、上述した図２４の報知処理に移る（ステップＩ７〜Ｉ１２）。
【００９６】
上述した一時記憶の「制御ＩＤ」の「内容」が“近接状況”に関する内容であれば（図２５のステップＩ２２でＮＯ）、近接状況検出部２１１によって検出されたユーザと腕時計２との近接状況（腕時計２が腕に装着されている、服のポケットに入っているなど）に関する情報（温度、接触の有無、機械的スイッチのオン／オフ、明度など）を取得して（ステップＩ２６）、この近接状況を判別し（ステップＩ２７）、この判別した近接状況は、上述した図２４のステップＩ１で読み出した一時記憶の「状況ＩＤ」が示す近接状況に一致するかを調べ（ステップＩ２８）、近接状況が一致していなければ（ステップＩ２８でＮＯ）、所定の状況になっていないので、再度、上述の状況判別タイマの計測動作を開始させたのち（図２４のステップＩ１３）、図２１のステップＦ２に戻るが、近接状況が一致して、所定の状況になったときには（ステップＩ２８でＹＥＳ）、上述した図２４の報知処理に移る（ステップＩ７〜Ｉ１２）。
【００９７】
以上のように、実施形態において携帯電話機１は、腕時計（別の通信端末装置）２に対して情報を送信する場合に、各種情報を全て一律に送信するのではなく、この腕時計２の状況を判別すると共に、この情報の内容を判別し、この腕時計２の状況と情報の内容に応じて、その送信を制御するようにしたので、腕時計２への送信を適切に制御することができ、実情に即した制御が可能となる。
【００９８】
情報の内容としてその情報の種別（音声着信、メール、ニュースなど）を判別するようにしたので、情報の種別に応じて腕時計２への送信を適切に制御することができる。
【００９９】
情報の内容としてその情報の緊急度（緊急情報、一般情報など）を判別するようにしたので、情報の緊急度に応じて腕時計２への送信を適切に制御することができる。
【０１００】
情報の内容としてその情報の送信元（個人や会社など）を判別するようにしたので、情報の送信元に応じて腕時計２への送信を適切に制御することができる。
【０１０１】
腕時計２の状況としてその移動状況（停止中、歩行中、走行中、乗り物移動中など）を判別するようにしたので、腕時計２の移動状況に応じて腕時計２への送信を適切に制御することができる。
【０１０２】
腕時計２の状況としてその現在位置（所在地）、現在時刻（時間帯）のうち、少なくともそのいずれかを判別するようにしたので、腕時計２の現在位置、現在時刻に応じて腕時計２への送信を適切に制御することができる。
【０１０３】
腕時計２の状況として腕時計２が用途別に備える複数の動作モード（ビジネスモード、プライベートモードなど）のうち、どの動作モードに設定されているかを判別するようにしたので、腕時計２の動作モードに応じて腕時計２への送信を適切に制御することができる。
【０１０４】
腕時計２の状況として人体と腕時計２との近接状況（装着／非装着、ポケット内など）を判別するようにしたので、この近接状況に応じて腕時計２への送信を適切に制御することができる。
【０１０５】
腕時計２から送信される状況情報を受信し、その状況情報に基づいて、この腕時計２の状況を判別するようにしたので、携帯電話機１側で腕時計２の状況を検出することができなくても、腕時計２から送信されてくる状況情報に基づいて腕時計２の状況を判別することができる。
【０１０６】
情報の送信の制御として、腕時計２へ情報を送信するか否かを制御するようにしたので、腕時計２に情報を送信するか否かを、腕時計２の状況と情報の内容に応じて、適切に制御することができる。
【０１０７】
情報の送信の制御として、この情報を受信する腕時計２側での報知を制御するようにしたので、腕時計２の状況と情報の内容に応じて、腕時計２側での報知を適切に制御することができる。
【０１０８】
受信した情報（音声着信、メール、ニュースなど）を腕時計２に送信する場合に、この受信した情報の内容を判別するようにしたので、受信した情報に応じて腕時計２への送信の制御を適切に制御することができる。
【０１０９】
携帯電話機１から腕時計２に情報を送信する場合に、この情報を受信する腕時計２側での報知を腕時計２の状況に基づいて制御するようにしたので、送信した情報の腕時計２側での報知を腕時計２の状況に応じて、適切に制御することができる。
【０１１０】
携帯電話機１から腕時計２に情報を送信する場合に、この腕時計２の移動状況に基づいて、腕時計２への情報の送信を制御するようにしたので、腕時計２への情報の送信を、腕時計２の移動状況に応じて適切に制御することができる。
【０１１１】
なお、上述した実施形態の状況判別処理Ａ（図１８及び図１９）においては、判別方法が“腕時計”であれば（ステップＤ４、Ｄ１２、Ｄ２０でＮＯ）、腕時計２の状況を腕時計２側で判別させるために、腕時計２に移動状況情報の要求を送信し（ステップＤ６、Ｄ１４、Ｄ２２）、判別方法が“携帯電話機”であれば（ステップＤ４、Ｄ１２、Ｄ２０でＹＥＳ）、携帯電話機１側で移動状況情報を検出して、この携帯電話機１の移動状況情報を腕時計２の移動状況としたが（ステップＤ５、Ｄ１３、Ｄ２１）、腕時計２が近距離に存在する場合（腕時計２が通信可能な範囲内に存在する場合）には、携帯電話機１側で移動状況情報を検出して、この携帯電話機１の移動状況情報を腕時計２の移動状況としてもよい。これによって携帯電話機１と腕時計２とを一緒に携帯している状態では腕時計２の状況を検出するセンサなどの機能を備えていなくても、携帯電話機１の移動状況、所在地などを腕時計２の状況として携帯電話機１側で検出することができる。
【０１１２】
この場合、携帯電話機１と腕時計２との間において、例えば、通信可能エリアが半径１ｍ以内の近距離通信を行うことによって、携帯電話機１と腕時計２とは通信状態か非通信状態かに応じて腕時計２が半径１ｍ以内に存在しているか否かを判別することができる。なお、腕時計２が近距離に存在するか否かは、腕時計２が通信可能な範囲内に存在する場合に限らず、距離センサなどによって腕時計２との距離を検出し、この距離によって腕時計２が近距離に存在しているかを判別するようにしてもよい。
【０１１３】
また、図２２の状況情報送信処理において、腕時計２は、携帯電話機１から移動状況情報の要求を受信すると、移動状況検出部２１０によって検出された移動状況情報を腕時計２の移動状況として取得して要求元の携帯電話機１に送信するようにしたが、状況テーブル記憶部Ｍ２−３を参照して、停止中、歩行中、走行中、乗り物移動中などの移動状況情報を判別し、その判別結果を携帯電話機１に送信するようにしてもよい。このことは、位置情報の要求、時刻情報の要求、動作モードの要求、近接状況の要求時であっても同様にその判別までを腕時計２側で実行し、その判別結果を携帯電話機１に送信するようにしてもよい。
【０１１４】
図２３の情報受信処理、図２４及び図２５の状況判別処理Ｂにおいては、１つの「制御ＩＤ」が付加されている場合の報知を例示したが、複数の「制御ＩＤ」が付加されている場合には、その「制御ＩＤ」の数に応じた報知を行うようにしてもよい。例えば、「制御ＩＤ」として“ｃ２２”と“ｃ２５”が付加されている場合には、受信音の鳴動と共に表示を行うようにしてもよい。
【０１１５】
上述した実施形態においては、携帯電話機１と腕時計２との通信手段として、Bluetooth（登録商標）による近距離通信を行うようにしたが、１対１通信を行う赤外線通信など、任意の直接通信であってもよいし、上述したようにホームネットワーク、会社ネットワーク、ホットスポットなどの無線ＬＡＮ（図示省略）を介した通信であってもよく、携帯電話機１と腕時計２との通信手段は問わない。
【０１１６】
上述した実施形態においては、携帯電話機１が腕時計２に送信する情報として、音声着信、メール、ニュースを例示したが、これに限らず、携帯電話機１からインターネットなどから受信した情報や着脱自在な可搬型メモリ（記録メディア）から取得した情報であってもよく、更には、テキスト情報、音声情報、画像情報など任意の情報であってもよい。
【０１１７】
上述した実施形態においては、携帯電話機１が腕時計２に情報を送信する際に、受信した情報を全て送信するようにしたが、その情報の一部を送信するようにしてもよい。例えば、情報がメールの場合には、そのメール本文のみを送ったり、タイトルまでを送ったりするなど、その一部を送信するようにしてもよい。また、受信した情報以外の情報を任意に付加して送信するようにしてもよい。例えば、着信日時、名前、グループ名などを付加して送信するようにしてもよい。
【０１１８】
上述した実施形態においては、携帯電話機１、腕時計２は、その移動状況を各種センサによって検出して判別するようにしたが、例えば、予め定期的に位置情報を受信して履歴として記憶しておき、それらの位置情報を読み出して、移動状況を解析しながら判別するなど、移動状況の検出方法は任意である。
【０１１９】
上述した実施形態において腕時計２は、携帯電話機１からの情報を受信して記憶するようにしたが、受信した情報を音声出力したり、表示出力したりするようにしてもよい。腕時計２に音声通話機能を備えられている場合には、携帯電話機１への通話着信を腕時計２側で受けて通話することも可能となる。
【０１２０】
上述した実施形態においては、通信端末装置として携帯電話機１に適用した場合を示したが、例えば、パーソナルコンピュータ、ＰＤＡ、デジタルカメラ、音楽プレイヤー、それらの複合機など、通信機能を備える任意の通信端末装置であってもよい。また、上述した実施形態においては、折り畳みタイプの通信端末装置はとしたが、ストレートタイプ、スライドタイプ、スピントップタイプなど任意の筐体構造であってもよく、表示部も通信端末装置に備えられている表示部に限らず、外部モニタなど、任意の外部表示装置であってもよい。
【０１２１】
上述した実施形態においては別の通信端末装置として、腕時計２を例示したが、パーソナルコンピュータ、ＰＤＡ、デジタルカメラ、音楽プレイヤーなど、それらの複合機など、通信機能を備える任意の通信端末装置であってもよい。
【符号の説明】
【０１２２】
１  携帯電話機
２  腕時計
３  無線通信網
１０１、２０１  中央制御部
１０３、２０３  記憶部
１０４  無線通信部
１０６、２０４  近距離通信部
１０７、２０５  ＧＰＳ受信部
１０８、２０６  表示部
１０９、２０７  操作部
１１０、２０８  ＲＴＣ
１１１、２０９  報知部
１１２、２１０  移動状況検出部
２１１  近接状況検出部
Ｍ１−１、Ｍ２−１  プログラム記憶部
Ｍ１−２、Ｍ２−２  各種情報一時記憶部
Ｍ１−３  情報テーブル記憶部
Ｍ１−４、Ｍ２−３  状況テーブル記憶部
Ｍ１−５、Ｍ２−４  制御テーブル記憶部
Ｍ１−６  判別方法記憶部
１−７  設定情報記憶部
Ｍ１−８  着信履歴記憶部
Ｍ１−９  メール記憶部
Ｍ１−１０  ニュース記憶部
Ｍ１−１１  アドレス帳記憶部
Ｍ２−５  動作モード記憶部
【図１】
2010245668.tif 000003
【図２】
2010245668.tif 000004
【図３】
2010245668.tif 000005
【図４】
2010245668.tif 000006
【図５】
2010245668.tif 000007
【図６】
2010245668.tif 000008
【図７】
2010245668.tif 000009
【図８】
2010245668.tif 000010
【図９】
2010245668.tif 000011
【図１０】
2010245668.tif 000012
【図１１】
2010245668.tif 000013
【図１２】
2010245668.tif 000014
【図１３】
2010245668.tif 000015
【図１４】
2010245668.tif 000016
【図１５】
2010245668.tif 000017
【図１６】
2010245668.tif 000018
【図１７】
2010245668.tif 000019
【図１８】
2010245668.tif 000020
【図１９】
2010245668.tif 000021
【図２０】
2010245668.tif 000022
【図２１】
2010245668.tif 000023
【図２２】
2010245668.tif 000024
【図２３】
2010245668.tif 000025
【図２４】
2010245668.tif 000026
【図２５】
2010245668.tif 000027